(57)【要約】【課題】クリップを操作してペン先を没入させるときにリフィルが受ける衝撃を緩和することで、リフィル内の気泡発生を抑制し、ひいては筆跡のカスレを軽減する。【解決手段】本発明は、外面に係止部が形成された軸筒と、軸筒内に収容されたリフィルと、リフィルの前方に配置されて、リフィルを後方に付勢する第１スプリングと、リフィルの後方に配置されて、リフィルの後端部が当接するスライダであって、前後方向に移動可能なスライダと、スライダに連結されたクリップであって、前方に移動したときに係止部に係止される突起を備えたクリップと、スライダ内に配置されて、クリップの前端部が軸筒に近付くようにクリップを付勢する第２スプリングと、リフィルの後方に配置された緩衝材であって、係止部と突起との係止が解除されてリフィルが後方に移動するときにリフィルが受ける衝撃を緩和するように構成された緩衝材とを備える、筆記具を提供する。【選択図】図１
2015020279.tif 000002
【特許請求の範囲】
【請求項１】
外面に係止部が形成された軸筒と、
前記軸筒内に収容されたリフィルと、
前記リフィルの前方に配置されて、該リフィルを後方に付勢する第１スプリングと、
前記リフィルの後方に配置されて、該リフィルの後端部が当接するスライダであって、前後方向に移動可能なスライダと、
前記スライダに連結されたクリップであって、前方に移動したときに前記係止部に係止される突起を備えたクリップと、
前記スライダ内に配置されて、前記クリップの前端部が前記軸筒に近付くように前記クリップを付勢する第２スプリングと、
前記リフィルの後方に配置された緩衝材であって、前記係止部と前記突起との係止が解除されて前記リフィルが後方に移動するときに該リフィルが受ける衝撃を緩和するように構成された緩衝材と
を備える、筆記具。
【請求項２】
前記緩衝材は前記スライダの緩衝部である、請求項１に記載の筆記具。
【請求項３】
前記スライダの緩衝部は前記スライダの後部に片持ち梁状に支持される、請求項２に記載の筆記具。
【請求項４】
前記緩衝材が前記第２スプリングであり、該第２スプリングは、前記リフィルを前方に付勢する分力と、前記クリップの前端部が前記軸筒に近付くように前記クリップを付勢する分力とを発生させるように配置される、請求項１に記載の筆記具。
【発明の詳細な説明】
【技術分野】
【０００１】
本発明は、筆記具に関し、特に、クリップを前後に移動させることでペン先を軸筒の前端部から出没させることができる筆記具に関する。
【背景技術】
【０００２】
従来、特許文献１、２に開示されるように、クリップを前後に移動させることでペン先を軸筒の前端部から出没させることができる筆記具が知られている。このタイプの筆記具では、軸筒の外面に係止部が形成され、クリップを前方に移動させると、クリップの突起が係止部に係止される。このとき、軸筒内のリフィルもクリップと共に前方に移動するので、ペン先が軸筒の前端部から突出して、筆記が可能となる。
【０００３】
また、クリップは、紙又は衣服等を狭持する作用効果を有することが知られている。この作用効果を奏するためには、クリップの突起を軸筒から離す必要がある。ペン先が突出している状態からクリップの突起を軸筒から離すと、係止部と突起との係止が解除される。係止部と突起との係止が解除されると、リフィルがスプリングの付勢力によってクリップと共に後方に移動し、ペン先が軸筒の前端部内に没入して、筆記が不可能となる。したがって、クリップと軸筒とで紙又は衣服等を狭持するとき、紙又は衣服等をペン先から塗出するインクで汚すことを防止することができる。
【先行技術文献】
【特許文献】
【０００４】
【特許文献１】実開昭６３−１６６４８０号公報
【特許文献２】実開平３−１０１６９１号公報
【発明の概要】
【発明が解決しようとする課題】
【０００５】
しかしながら、リフィルは、係止部と突起との係止が解除されてクリップと共に後方に移動するとき、スプリングの付勢力によって大きな衝撃を受ける場合がある。この場合、リフィル内のインクが後方に移動し又はリフィル内で気泡が発生するので、クリップを操作して筆記具を再び筆記可能な状態にしたときに、筆跡のカスレが生じるおそれがある。
【０００６】
そこで、本発明は、上記の問題点に鑑みてなされたものであって、クリップを操作してペン先を没入させるときにリフィルが受ける衝撃を緩和することで、リフィル内の気泡発生を抑制し、ひいては筆跡のカスレを軽減することを目的とする。
【課題を解決するための手段】
【０００７】
本発明の第１態様では、外面に係止部が形成された軸筒と、軸筒内に収容されたリフィルと、リフィルの前方に配置されて、リフィルを後方に付勢する第１スプリングと、リフィルの後方に配置されて、リフィルの後端部が当接するスライダであって、前後方向に移動可能なスライダと、スライダに連結されたクリップであって、前方に移動したときに係止部に係止される突起を備えたクリップと、スライダ内に配置されて、クリップの前端部が軸筒に近付くようにクリップを付勢する第２スプリングと、リフィルの後方に配置された緩衝材であって、係止部と突起との係止が解除されてリフィルが後方に移動するときにリフィルが受ける衝撃を緩和するように構成された緩衝材とを備える、筆記具が提供される。なお、筆記具の先端すなわちペン先側を筆記具の「前」側と定義し、筆記具の軸線方向（長手方向）に沿って筆記具のペン先とは反対側を筆記具の「後」側と定義する。
【０００８】
本発明の第１態様では、緩衝材はスライダの緩衝部であることが好ましい。
【０００９】
本発明の第１態様では、スライダの緩衝部はスライダの後部に片持ち梁状に支持されることが好ましい。
【００１０】
本発明の第１態様では、緩衝材が第２スプリングであり、第２スプリングは、リフィルを前方に付勢する分力と、クリップの前端部が軸筒に近付くようにクリップを付勢する分力とを発生させるように配置されることが好ましい。
【発明の効果】
【００１１】
本発明によれば、緩衝材によって、クリップを操作してペン先を没入させるときにリフィルが受ける衝撃を緩和することでできる。したがって、本発明によれば、衝撃による筆跡のカスレを軽減することができる。
【図面の簡単な説明】
【００１２】
【図１】図１（ａ）〜（ｃ）は、それぞれ、本発明の第１実施形態に係る筆記具の平面図、正面図及び断面正面図である。
【図２】図２は、ペン先が軸筒の前端部から突出した状態の図１の筆記具の断面正面図である。
【図３】図３は、クリップの前端部を軸筒から離した状態の図１の筆記具の断面正面図である。
【図４】図４（ａ）、（ｂ）は、それぞれ、図１の後軸筒の平面図及び正面断面図である。
【図５】図５は、図１のクリップの斜視図である。
【図６】図６は、スライダに連結され且つ金属部材が装着された図１のクリップの斜視図である。
【図７】図７（ａ）〜（ｄ）は、それぞれ、図１のスライダの斜視図、左側面図、平面図及び正面図である。
【図８】図８（ａ）〜（ｃ）は、それぞれ、本発明の第２実施形態に係る筆記具の平面図、正面図及び断面正面図である。
【図９】図９は、ペン先が軸筒の前端部から突出した状態の図８の筆記具の断面正面図である。
【図１０】図１０（ａ）〜（ｃ）は、それぞれ、図８の後軸筒の平面図、正面図及び正面断面図である。
【図１１】図１１（ａ）、（ｂ）は、それぞれ、図８のクリップの斜視図及び正面断面図である。
【図１２】図１２（ａ）〜（ｄ）は、それぞれ、図８のスライダの斜視図、左側面図、平面図及び正面図である。
【図１３】図１３は、スライダに連結された図８のクリップの斜視図である。
【発明を実施するための形態】
【００１３】
以下、添付図面を参照して本発明の実施形態（第１実施形態及び第２実施形態）を説明する。また、添付図面において同一の構成要素には同一の参照符号が付される。
【００１４】
最初に、図１〜図７を参照して、本発明の第１実施形態に係る筆記具１ａについて説明する。本実施形態では、筆記具１ａの例としてボールペンが示される。
【００１５】
図１（ａ）〜（ｃ）は、それぞれ、本発明の第１実施形態に係る筆記具１ａの平面図、正面図及び断面正面図である。筆記具１ａは、軸筒２ａと、軸筒２ａ内に収容されたリフィル３と、リフィル３の前方に配置された第１スプリング４と、リフィル３の後方に配置されて、リフィル３の後端部が当接するスライダ５ａと、スライダ５ａに連結されたクリップ６ａと、クリップ６ａに装着された金属部材７と、スライダ５ａ内に配置された第２スプリング８ａと、軸筒２ａの後端部に嵌合された天冠９ａとを備える。なお、図１（ａ）に示されるように、本明細書において、筆記具の先端すなわちペン先側を筆記具の「前」側と定義し、筆記具の軸線方向（長手方向）に沿って筆記具のペン先とは反対側を筆記具の「後」側と定義する。
【００１６】
軸筒２ａは前方の前軸筒２１と後方の後軸筒２２ａとから成る。リフィル３は、インクを収容したインク収容管３１の前端部にペン先（ボールペンチップ）３２を装着して構成される。第１スプリング４はリフィル３を後方に付勢する。第２スプリング８ａは、クリップ６ａの前端部が軸筒２ａに近付くようにクリップ６ａを付勢する。図１では、ペン先３２は軸筒２ａの前端部に没入している。
【００１７】
図２は、ペン先３２が軸筒２ａの前端部から突出した状態の図１の筆記具１ａの断面正面図である。図１の状態からクリップ６ａを前方に移動させると、クリップ６ａ、スライダ５ａ及びリフィル３は、第１スプリング４の付勢力に抗して、一体的に前方に移動する。このとき、リフィル３の先端のペン先３２が軸筒２ａの前端部から突出して、筆記具１ａは筆記状態となる。
【００１８】
図３は、クリップ６ａの前端部を軸筒２ａから離した状態の図１の筆記具１ａの断面正面図である。クリップ６ａの後端を軸筒２ａに向かって押すと、クリップ６ａの前端部は第２スプリング８ａの付勢力に抗して軸筒２ａから離れる。図２の状態でこの操作を行うと、クリップ６ａ、スライダ５ａ及びリフィル３は第１スプリング４の付勢力によって一体的に後方に移動する。このとき、リフィル３の先端のペン先３２が軸筒２ａの前端部に没入して、筆記具１ａは非筆記状態となる。
【００１９】
以下、後軸筒２２ａ、クリップ６ａ及びスライダ５ａの構成について詳細に説明する。
【００２０】
図４（ａ）、（ｂ）は、それぞれ、図１の後軸筒２２ａの平面図及び正面断面図である。図４（ｂ）に示されるように、後軸筒２２ａの前部の内面には雌ネジ部２２１ａが形成される。一方、前軸筒２１の後部の外面には雄ネジ部が形成される。したがって、前軸筒２１の後部は後軸筒２２ａの前部と螺合する。なお、前軸筒２１と後軸筒２２ａとを一体とし、前軸筒２１の前端部が前軸筒２１と分離可能であってもよい。
【００２１】
後軸筒２２ａの外面には、クリップ６ａ及びスライダ５ａが前後方向に移動できるように、摺動孔２２２ａが形成される。摺動孔２２２ａは、前後方向に延びる貫通孔として形成され、長手方向の長さはクリップ６ａ及びスライダ５ａの移動量に応じて決定される。
【００２２】
また、後軸筒２２ａの外面には、摺動孔２２２ａよりも前方に配置された収容孔２２３ａが形成される。収容孔２２３ａは貫通孔として形成される。クリップ６ａが前方に移動して、後述するクリップ６ａの突起６３ａが収容孔２２３ａの位置に到達すると、図２に示されるように、突起６３ａの先端が第２スプリング８ａの付勢力によって収容孔２２３ａに収容される。また、クリップ６ａは第１スプリング４によって後方に付勢される。したがって、突起６３ａは第１スプリング４及び第２スプリング８ａの付勢力によって収容孔２２３ａの後端の係止部２２７ａ（図４参照）に係止される。このことによって、図２の筆記状態が保持される。また、筆圧が強くても、ペン先３２が軸筒２ａの前端部に没入することなく筆記が可能となる。
【００２３】
図２の状態からクリップ６ａと軸筒２ａとで紙又は衣服等を狭持するためには、クリップ６ａの後端を押し又は紙若しくは衣服等をクリップ６ａと軸筒２ａとの間に滑り込ませることによって突起６３ａと係止部２２７ａとの係止を解除することが必要とされる。したがって、紙又は衣服等がクリップ６ａと軸筒２ａとで狭持されると、クリップ６ａが後方に移動して、ペン先３２が軸筒２ａの前端部に没入するので、紙又は衣服等をインクで汚すことが防止される。
【００２４】
図４に示されるように、後軸筒２２ａの外面には、さらに、収容孔２２３ａと隣接して凹部２２４ａが形成される。図１（ｃ）に示されるように、筆記具１ａが非筆記状態にあるとき、突起６３ａの先端は凹部２２４ａの上に位置する。なお、収容孔２２３ａ及び係止部２２７ａは、クリップ６ａが前方に移動したときに突起６３ａを係止することができれば、後軸筒２２ａから外側に突出する突起のような他の形状を有してもよい。
【００２５】
図４（ｂ）に示されるように、後軸筒２２ａの内面には、さらに、一対の溝部２２８ａと一対の傾斜部２２９ａとが形成される。溝部２２８ａは、スライダ５ａが後軸筒２２ａ内で前後に摺動するときにスライダ５ａをガイドする機能と、組立時にスライダ５ａの向きを矯正する機能とを持つ。傾斜部２２９ａは、組立時にスライダ５ａを溝部２２８ａへガイドし、筆記具１ａの組立性を向上させる役割を果たす。
【００２６】
図５は、図１のクリップ６ａの斜視図である。図６は、スライダ５ａに連結され且つ金属部材７が装着された図１のクリップ６ａの斜視図である。
【００２７】
図５に示されるように、クリップ６ａは、長手方向に延在する延在部６１と、スライダ５ａに連結される連結部６２とを備える。クリップ６ａは典型的には樹脂の射出成形によって形成される。延在部６１は、組立後に軸筒２ａに向かって突出する突起６３ａと、延在部６１の一部に亘って長手方向に延在する凸部６４と、前部に形成された一対の係合突起６５と、後部に形成された一対の係合突起６６とを備える。係合突起６５、６６は長手方向に垂直な方向に突出する。
【００２８】
前述したように、突起６３ａは、筆記具１ａが非筆記状態から筆記状態に移行するとき、軸筒２ａの係止部２２７ａに係止される。また、図６に示されるように、凸部６４の周りの延在部６１に装飾用の金属部材７が被せられる。クリップ６ａの係合突起６５、６６が金属部材７の二対の係合孔７１、７２と係合することによって、金属部材７はクリップ６ａに固定される。なお、金属部材７は、樹脂にメッキ処理等を施した装飾部品であってもよい。
【００２９】
連結部６２は、嵌合孔６７ａと、第２スプリング８ａが当接するスプリング当接部６８とを備える。嵌合孔６７ａは、貫通孔として形成され、後述するスライダ５ａの嵌合突起５３ａと嵌合する。
【００３０】
図７（ａ）〜（ｄ）は、それぞれ、図１のスライダ５ａの斜視図、左側面図、平面図及び正面図である。スライダ５ａは、本体５１ａと、本体５１ａの後部に接続された緩衝部５４とを備える。スライダ５ａは典型的には樹脂の射出成形によって形成される。
【００３１】
図７（ａ）に示されるように、本体５１ａは、二つの分割部５１１と、分割部５１１の後方で二つの分割部５１１を互いに接続する底部５１２とを有する。分割部５１１の前端部は、リフィル３の後端部が当接する当接面５６ａとして機能する。分割部５１１の内側の側面には一対の嵌合突起５３ａが設けられる。一対の嵌合突起５３ａは、それぞれ、一方の分割部５１１から他方の分割部５１１に向かって突出している。また、底部５１２の上には、スプリングガイド５２が設けられる。図１（ｃ）に示されるように、スプリングガイド５２は、スライダ５ａが軸筒２ａ内に配置されたとき、軸筒２ａの軸線に対してほぼ垂直な方向に延在する。また、第２スプリング８ａは、スプリングガイド５２を囲むように設置される。したがって、第２スプリング８ａは軸筒２ａの軸線に対してほぼ垂直な方向に延在する。
【００３２】
第２スプリング８ａが設置されたスライダ５ａにクリップ６ａが連結されるとき、クリップ６ａの嵌合孔６７ａはスライダ５ａの嵌合突起５３ａと嵌合する。また、第２スプリング８ａの一方の端部はクリップ６ａのスプリング当接部６８に当接する。クリップ６ａはスライダ５ａに対して回転可能に固定され、スライダ５ａの嵌合突起５３ａはクリップ６ａの回転軸の役割を果たす。
【００３３】
また、底部５１２の外周には、後軸筒２２ａの溝部２２８ａと相補的な形状を有する一対の凸部５１３、５１４が形成される。凸部５１３、５１４は、スライダ５ａが後軸筒２２ａ内に配設されるとき、後軸筒２２ａの一対の溝部２２８ａにそれぞれ嵌まる。したがって、凸部５１３、５１４は、クリップ６ａを介してスライダ５ａが前後方向に摺動されるとき、一対の溝部２２８ａによってガイドされる。なお、凸部５１３と凸部５１４との形状を異ならせることによって、組立時にスライダ５ａを後軸筒２２ａ内に上下反対の向きで配設することを防ぐことができる。
【００３４】
図７（ａ）、（ｄ）に示されるように、スライダ５ａの緩衝部５４は、一方の端部が自由端部５４１であり、スライダ５ａの本体５１ａに片持ち梁状に支持される。したがって、本体５１ａと緩衝部５４との間には隙間が形成される。また、緩衝部５４が本体５１ａに接続される部分には溝５５ａが設けられる。溝５５ａを設けることによって、緩衝部５４は前方により一層撓みやすくなる。筆記具１ａが筆記状態から非筆記状態に移行するとき、緩衝部５４は、第１スプリング４の付勢力によって、図１（ｃ）及び図４（ｂ）に示される後軸筒２２ａの当接部２２５ａに当接する。このとき、緩衝部５４は、自由端部５４１が本体５１ａに当接するまで前方に撓む。このことによって、緩衝部５４は、スライダ５ａの当接面５６ａに当接しているリフィル３が受ける衝撃を緩和することができる。言い換えれば、緩衝部５４は緩衝材として作用する。
【００３５】
なお、緩衝部５４は、スライダ５ａの後部が撓むことによってリフィル３が受ける衝撃を緩和するように構成されれば、他の形状を有してもよい。また、スライダ５ａが緩衝部５４を備える代わりに、スライダ５ａと後軸筒２２ａの当接部２２５ａとの間に緩衝材が配置されてもよい。緩衝材として、例えばゴム、エラストマー等の粘弾性材料が挙げられる。
【００３６】
また、リフィル３が当接する二つの当接面５６ａは互いに接続されていない。したがって、二つの分割部５１１は、筆記具１ａが筆記状態から非筆記状態に移行するとき、第１スプリング４の付勢力によってリフィル３から押圧されると、互いに近付き又は互いから離れるように撓む。このことによって、リフィル３が受ける衝撃がより一層緩和される。
【００３７】
次に、図８〜図１３を参照して、本発明の第２実施形態に係る筆記具１ｂについて説明する。本実施形態では、筆記具１ｂの例としてボールペンが示される。
【００３８】
図８（ａ）〜（ｃ）は、それぞれ、本発明の第２実施形態に係る筆記具１ｂの平面図、正面図及び断面正面図である。筆記具１ｂは、軸筒２ｂと、軸筒２ｂ内に収容されたリフィル３と、リフィル３の前方に配置された第１スプリング４と、リフィル３の後方に配置されて、リフィル３の後端部が当接するスライダ５ｂと、スライダ５ｂに連結されたクリップ６ｂと、スライダ５ｂ内に配置された第２スプリング８ｂと、軸筒２ｂの後端部に嵌合された天冠９ｂ及び尾栓１０とを備える。なお、図８（ａ）に示されるように、本明細書において、筆記具の先端すなわちペン先側を筆記具の「前」側と定義し、筆記具の軸線方向（長手方向）に沿って筆記具のペン先とは反対側を筆記具の「後」側と定義する。
【００３９】
軸筒２ｂは前方の前軸筒２１と後方の後軸筒２２ｂとから成る。リフィル３は、インクを収容したインク収容管３１の前端部にペン先（ボールペンチップ）３２を装着して構成される。第１スプリング４はリフィル３を後方に付勢する。第２スプリング８ｂは、クリップ６ｂの前端部が軸筒２ｂに近付くようにクリップ６ｂを付勢する。図８では、ペン先３２は軸筒２ｂの前端部に没入している。
【００４０】
図９は、ペン先３２が軸筒２ｂの前端部から突出した状態の図８の筆記具１ｂの断面正面図である。図８の状態からクリップ６ｂを前方に移動させると、クリップ６ｂ、スライダ５ｂ及びリフィル３は、第１スプリング４の付勢力に抗して、一体的に前方に移動する。このとき、リフィル３の先端のペン先３２が軸筒２ｂの前端部から突出して、筆記具１ｂは筆記状態となる。また、図９の状態からクリップ６ｂの後端を軸筒２ｂに向かって押すと、クリップ６ｂ、スライダ５ｂ及びリフィル３は第１スプリング４の付勢力によって一体的に後方に移動する。このとき、リフィル３の先端のペン先３２が軸筒２ｂの前端部に没入して、筆記具１ｂは非筆記状態となる。
【００４１】
以下、後軸筒２２ｂ、クリップ６ｂ及びスライダ５ｂの構成について詳細に説明する。
【００４２】
図１０（ａ）〜（ｃ）は、それぞれ、図８の後軸筒２２ｂの平面図、正面図及び正面断面図である。図１０（ｃ）に示されるように、後軸筒２２ｂの前部の内面には雌ネジ部２２１ｂが形成される。一方、前軸筒２１の後部の外面には雄ネジ部が形成される。したがって、前軸筒２１の後部は後軸筒２２ｂの前部と螺合する。なお、前軸筒２１と後軸筒２２ｂとを一体とし、前軸筒２１の前端部が前軸筒２１と分離可能であってもよい。
【００４３】
後軸筒２２ｂの外面には、クリップ６ｂ及びスライダ５ｂが前後方向に移動できるように、摺動孔２２２ｂが形成される。摺動孔２２２ｂは、前後方向に延びる貫通孔として形成され、長手方向の長さはクリップ６ｂ及びスライダ５ｂの移動量に応じて決定される。
【００４４】
また、後軸筒２２ｂの外面には、摺動孔２２２ｂよりも前方に配置された収容孔２２３ｂが形成される。収容孔２２３ｂは貫通孔として形成される。クリップ６ｂが前方に移動して、後述するクリップ６ｂの突起６３ｂが収容孔２２３ｂの位置に到達すると、図９に示されるように、突起６３ｂの先端が第２スプリング８ｂの付勢力によって収容孔２２３ｂに収容される。また、クリップ６ｂは第１スプリング４によって後方に付勢される。したがって、突起６３ｂは第１スプリング４及び第２スプリング８ｂの付勢力によって収容孔２２３ｂの後端の係止部２２７ｂ（図１０参照）に係止される。このことによって、図９の筆記状態が保持される。また、筆圧が強くても、ペン先３２が軸筒２ｂの前端部に没入することなく筆記が可能となる。
【００４５】
図９の状態からクリップ６ｂと軸筒２ｂとで紙又は衣服等を狭持するためには、クリップ６ｂの後端を押し又は紙若しくは衣服等をクリップ６ｂと軸筒２ｂとの間に滑り込ませることによって突起６３ｂと係止部２２７ｂとの係止を解除することが必要とされる。したがって、紙又は衣服等がクリップ６ｂと軸筒２ｂとで狭持されると、クリップ６ｂが後方に移動して、ペン先３２が軸筒２ｂの前端部に没入するので、紙又は衣服等をインクで汚すことが防止される。
【００４６】
図１０に示されるように、後軸筒２２ｂの外面には、さらに、収容孔２２３ｂと隣接して凹部２２４ｂが形成される。図８（ｃ）に示されるように、筆記具１ｂが非筆記状態にあるとき、突起６３ｂの先端は凹部２２４ｂの上に位置する。なお、収容孔２２３ｂ及び係止部２２７ｂは、クリップ６ｂが前方に移動したときに突起６３ｂを係止することができれば、後軸筒２２ｂから外側に突出する突起のような他の形状を有してもよい。
【００４７】
図１０（ａ）、（ｂ）に示されるように、後軸筒２２ｂの尾栓１０が被される部分には、尾栓１０と嵌合するための一対の嵌合部２２６が設けられる。
【００４８】
図１１（ａ）、（ｂ）は、それぞれ、図８のクリップ６ｂの斜視図及び正面断面図である。図１１に示されるように、クリップ６ｂは、組立後に軸筒２ｂに向かって突出する突起６３ｂと、嵌合溝６９と、一対の嵌合孔６７ｂとを備える。嵌合孔６７ｂは、貫通孔として形成され、後述するスライダ５ｂの嵌合突起５３ｂと嵌合する。クリップ６ｂは典型的には樹脂の射出成形によって形成される。
【００４９】
図１２（ａ）〜（ｄ）は、それぞれ、図８のスライダ５ｂの斜視図、左側面図、平面図及び正面図である。スライダ５ｂは、本体５１ｂと、クリップ６ｂに連結される連結部５７とを備える。スライダ５ｂは典型的には樹脂の射出成形によって形成される。
【００５０】
連結部５７には、外側に向かって突出する一対の嵌合突起５３ｂが形成される。クリップ６ｂがスライダ５ｂに連結されるとき、スライダ５ｂの連結部５７がクリップ６ｂの嵌合溝６９に挿入され、スライダ５ｂの嵌合突起５３ｂはクリップ６ｂの嵌合孔６７ｂと嵌合する。図１３は、スライダ５ｂに連結された図８のクリップ６ｂの斜視図である。
【００５１】
連結部５７と本体５１ｂとの間には、第２スプリング８ｂが収容されるスプリング収容部５８が形成される。第２スプリング８ｂが当接するスプリング収容部５８の二つの斜面５８１は、スライダ５ｂが軸筒２ｂ内に配置されたとき、図１２（ｄ）において仮想線で示される軸筒２ｂの軸線に対して約４５°の角度αを成す。この場合、図８（ｃ）から分かるように、第２スプリング８ｂは軸筒２ｂの軸線に対して約１３５°の方向に延在する。したがって、第２スプリング８ｂは、スライダ５ｂを介して、リフィル３を前方に付勢する分力と、クリップ６ｂの突起６３ｂが軸筒２ｂに向かって回転するようにクリップを付勢する分力とを発生させる。なお、スプリング収容部５８は、第２スプリング８ｂが軸筒２ｂの軸線に対して１００°〜１７０°の方向に延在するように構成されれば、他の形状を有してもよい。また、スプリング収容部５８の斜面５８１にスプリングガイドが設けられてもよい。
【００５２】
筆記具１ｂが筆記状態から非筆記状態に移行するとき、図８（ｃ）に示されるように、スライダ５ｂの後端部は、図８（ｃ）及び図１０（ｃ）に示される後軸筒２２ｂの当接部２２５ｂに当接する。このとき、第２スプリング８ｂが撓むことで、スライダ５ｂの当接面５６ｂに当接しているリフィル３が受ける衝撃は緩和される。言い換えれば、第２スプリング８ｂは緩衝材として作用する。
【００５３】
また、リフィル３が当接するスライダ５ｂの当接面５６ｂは、図１２（ｂ）に示されるように、半円状であり且つ連結部５７に隣接している。さらに、本体５１ｂの後部には、前後方向に延在する溝５５ｂが形成される。溝５５ｂは、リフィル３が第２スプリング８ｂを収縮させるようにスライダ５ｂを押圧すると、スライダ５ｂの後部が撓むように構成される。これら構成によって、リフィル３がスライダ５ｂを押圧すると、第２スプリング８ｂ及びスライダ５ｂは概して第２スプリングの延在方向により一層撓みやすくなる。したがって、筆記具１ｂが筆記状態から非筆記状態に移行するとき、リフィル３が受ける衝撃はより一層緩和される。
【００５４】
以上、本発明に係るいくつかの好適な実施形態を説明したが、本発明はこの実施形態に限定されるものではなく、特許請求の範囲の記載内で様々な修正及び変更を施すことができる。例えば、クリップとスライダとは、別々の部材ではなく、一体に形成された一つの部材であってもよい。また、各実施形態を互いに組み合わせて実施してもよい。
【符号の説明】
【００５５】
１ａ、１ｂ    筆記具
２ａ、２ｂ    軸筒
２１    前軸筒
２２ａ、２２ｂ    後軸筒
２２１ａ、２２１ｂ    雌ネジ部
２２２ａ、２２２ｂ    摺動孔
２２３ａ、２２３ｂ    収容孔
２２４ａ、２２４ｂ    凹部
２２５ａ、２２５ｂ    当接部
２２６    嵌合部
２２７ａ、２２７ｂ    係止部
２２８ａ    溝部
２２９ａ    傾斜部
３    リフィル
３１    インク収容管
３２    ペン先（ボールペンチップ）
４    第１スプリング
５ａ、５ｂ    スライダ
５１ａ、５１ｂ    本体
５１１    分割部
５１２    底部
５１３、５１４    凸部
５２    スプリングガイド
５３ａ、５３ｂ    嵌合突起
５４    緩衝部
５４１    自由端部
５５ａ、５５ｂ    溝
５６ａ、５６ｂ    当接面
５７    連結部
５８    スプリング収容部
５８１    斜面
５９    係合面
６ａ、６ｂ    クリップ
６１    延在部
６２    連結部
６３ａ、６３ｂ    突起
６４    凸部
６５、６６    係合突起
６７ａ、６７ｂ    嵌合孔
６８    スプリング当接部
６９    嵌合溝
７    金属部材
７１、７２    係合孔
８ａ、８ｂ    第２スプリング
９ａ、９ｂ    天冠
１０    尾栓
【図１】
2015020279.tif 000003
【図２】
2015020279.tif 000004
【図３】
2015020279.tif 000005
【図４】
2015020279.tif 000006
【図５】
2015020279.tif 000007
【図６】
2015020279.tif 000008
【図７】
2015020279.tif 000009
【図８】
2015020279.tif 000010
【図９】
2015020279.tif 000011
【図１０】
2015020279.tif 000012
【図１１】
2015020279.tif 000013
【図１２】
2015020279.tif 000014
【図１３】
2015020279.tif 000015